(57)【要約】【課題】機能間の競合を解消して便宜の向上を図った電話システムを提供すること。【解決手段】実施形態によれば、電話システムは、識別情報の入力を含むユーザのログイン操作を受け付ける電話端末と、この電話端末からのログインを処理する主装置とを具備する。主装置は送信部を備える。送信部は、ログイン操作において入力された識別情報に対応する設定情報をログイン元の電話端末に送信する。電話端末は、書き込まれた情報の活性化のため電話端末の再起動を要するメモリを備える。そして電話システムは、ログイン操作がユーザの移動に伴うログインであれば、主装置から電話端末への設定情報の送信に伴う再起動を中止する。【選択図】図２
2013098847.tif 000002
【特許請求の範囲】
【請求項１】
識別情報の入力を含むユーザのログイン操作を受け付ける電話端末と、この電話端末からのログインを処理する主装置とを具備し、
前記主装置は、前記ログイン操作において入力された識別情報に対応する設定情報をログイン元の電話端末に送信する送信部を備え、
前記電話端末は、書き込まれた情報に基づいて前記主装置に接続するために前記電話端末の再起動を要するメモリを備え、
前記ログイン操作が前記ユーザの移動に伴うログインであれば、前記主装置から前記電話端末への前記設定情報の送信に伴う前記再起動を中止する、電話システム。
【請求項２】
前記電話端末は、さらに、
前記主装置から送信された設定情報を受信する受信部と、
前記受信した設定情報を前記メモリに書き込むために一時記憶する書き込み制御部と、
前記ログイン操作において入力された識別情報と前記メモリに記憶されている識別情報とが異なれば、当該ログイン操作を前記ユーザの移動に伴うログインと判定する判定部とを備え、
前記書き込み制御部は、前記ログイン操作が前記ユーザの移動に伴うログインと判定された場合に、前記送信された設定情報を前記メモリに書き込むことを中止する、請求項１に記載の電話システム。
【請求項３】
前記判定部は、前記受信した設定情報における書き込み強制フラグの有無を判定し、
前記書き込み制御部は、前記受信した設定情報に前記書き込み強制フラグが記されていれば、前記判定部による判定の結果よりも優先して、前記受信した設定情報を前記メモリに書き込む、請求項２に記載の電話システム。
【請求項４】
前記判定部は、前記受信した設定情報と前記メモリに記憶されている設定情報との差異を判定し、
前記書き込み制御部は、前記ログイン操作が前記ユーザの移動に伴うログインと判定されない場合に、前記差異があれば、前記転送された設定情報を前記メモリに書き込むことを中止する、請求項２に記載の電話システム。
【請求項５】
前記電話端末は、さらに、
前記ログイン操作に伴って、当該ログイン操作において入力された識別情報と前記メモリに記憶されている識別情報とを前記主装置に通知する通知部と、
前記主装置から送信された設定情報を受信する受信部とを備え、
前記主装置は、さらに、
前記通知された前記ログイン操作において入力された識別情報と前記メモリに記憶されている識別情報とが異なれば、前記ログイン操作を前記ユーザの移動に伴うログインと判定する判定部を備え、
前記送信部は、前記ログイン操作が前記ユーザの移動に伴うログインと判定された場合に、前記設定情報を前記ログイン元の電話端末に送信することを中止する、請求項１に記載の電話システム。
【請求項６】
電話端末からのログインを処理する主装置を具備する電話システムに用いられる前記電話端末において、
識別情報の入力を含むユーザのログイン操作を受け付けるログイン処理部と、
書き込まれた情報に基づいて前記主装置に接続するために前記電話端末の再起動を要するメモリと、
前記ログイン操作が前記ユーザの移動に伴うログインであれば、前記ログイン操作において入力された識別情報に対応する設定情報の前記主装置から前記電話端末への送信に伴う前記再起動を中止する、電話端末。
【請求項７】
前記主装置から送信された前記設定情報を受信する受信部と、
前記受信した設定情報を前記メモリに書き込むために一時記憶する書き込み制御部と、
前記ログイン操作において入力された識別情報と前記メモリに記憶されている識別情報とが異なれば、当該ログイン操作を前記ユーザの移動に伴うログインと判定する判定部とをさらに備え、
前記書き込み制御部は、前記ログイン操作が前記ユーザの移動に伴うログインと判定された場合に、前記送信された設定情報を前記メモリに書き込むことを中止する、請求項６に記載の電話端末。
【請求項８】
前記判定部は、前記受信した設定情報における書き込み強制フラグの有無を判定し、
前記書き込み制御部は、前記受信した設定情報に前記書き込み強制フラグが記されていれば、前記判定部による判定の結果よりも優先して、前記受信した設定情報を前記メモリに書き込む、請求項７に記載の電話端末。
【請求項９】
前記判定部は、前記受信した設定情報と前記メモリに記憶されている設定情報との差異を判定し、
前記書き込み制御部は、前記ログイン操作が前記ユーザの移動に伴うログインと判定されない場合に、前記差異があれば、前記転送された設定情報を前記メモリに書き込むことを中止する、請求項７に記載の電話端末。
【請求項１０】
前記ログイン操作に伴って、当該ログイン操作において入力された識別情報と前記メモリに記憶されている識別情報とを前記主装置に通知する通知部と、
前記主装置から送信された設定情報を受信する受信部とをさらに備える、請求項６に記載の電話端末。
【請求項１１】
識別情報の入力を含むユーザのログイン操作を受け付けるログイン処理部と、書き込まれた情報に基づいて前記主装置に接続するために前記電話端末の再起動を要するメモリとを備える電話端末からのログインを処理する主装置において、
前記ログイン操作において入力された識別情報に対応する設定情報をログイン元の電話端末に送信する送信部と、
前記電話端末から通知された、前記ログイン操作において入力された識別情報と前記メモリに記憶されている識別情報とが異なれば、前記ログイン操作を前記ユーザの移動に伴うログインと判定する判定部とを備え、
前記送信部は、前記ログイン操作が前記ユーザの移動に伴うログインと判定された場合に、前記設定情報を前記ログイン元の電話端末に送信することを中止する、主装置。
【請求項１２】
書き込まれた情報に基づいて主装置に接続するために再起動を要するメモリを備える電話端末と、この電話端末からのログインを処理する前記主装置とを具備する電話システムに用いられる前記電話端末の設定方法であって、
前記電話端末が、識別情報の入力を含むユーザのログイン操作を受け付け
前記主装置が、前記ログイン操作において入力された識別情報に対応する設定情報をログイン元の電話端末に送信し、
前記ログイン操作が前記ユーザの移動に伴うログインであれば、前記主装置から前記電話端末への前記設定情報の送信に伴う前記再起動を中止する、設定方法。
【請求項１３】
前記電話端末が、前記主装置から送信された設定情報を受信し、
前記電話端末が、前記受信した設定情報を前記メモリに書き込むために一時記憶し、
前記ログイン操作において入力された識別情報と前記メモリに記憶されている識別情報とが異なれば、前記電話端末が、当該ログイン操作を前記ユーザの移動に伴うログインとし、
前記ログイン操作が前記ユーザの移動に伴うログインと判定された場合に、前記一時記憶することは、前記送信された設定情報を前記メモリに書き込むことを中止する、請求項１２に記載の設定方法。
【請求項１４】
前記判定することは、前記受信した設定情報における書き込み強制フラグの有無を判定し、
前記一時記憶することは、前記受信した設定情報に前記書き込み強制フラグが記されていれば、前記判定部による判定の結果よりも優先して、前記受信した設定情報を前記メモリに書き込む、請求項１３に記載の設定方法。
【請求項１５】
前記判定することは、前記受信した設定情報と前記メモリに記憶されている設定情報との差異を判定し、
前記一時記憶することは、前記ログイン操作が前記ユーザの移動に伴うログインと判定されない場合に、前記差異があれば、前記転送された設定情報を前記メモリに書き込むことを中止する、請求項１３に記載の設定方法。
【請求項１６】
前記電話端末が、前記ログイン操作に伴って、当該ログイン操作において入力された識別情報と前記メモリに記憶されている識別情報とを前記主装置に通知し、
前記通知された前記ログイン操作において入力された識別情報と前記メモリに記憶されている識別情報とが異なれば、前記主装置が、前記ログイン操作を前記ユーザの移動に伴うログインと判定し、
前記送信することは、前記ログイン操作が前記ユーザの移動に伴うログインと判定された場合に、前記設定情報を前記ログイン元の電話端末に送信することを中止する、請求項１２に記載の設定方法。
【発明の詳細な説明】
【技術分野】
【０００１】
本発明の実施形態は、自動設定機能を備える電話システムとその電話端末、主装置および電話端末の設定方法に関する。
【背景技術】
【０００２】
近年の電話システムは多くの機能を備える。特に、Internet Protocol（ＩＰ）ネットワークを利用する電話システムは、ユーザによるログイン／パスワード認証／ログアウトを受け付けるものや、ユーザのプレゼンスを管理する機能を備えるものもある。このように電話システムの多機能化が進展してきている。多機能な電話システムは、サーバ機能を備える主装置をシステム内に備える。
【０００３】
一つのＩＰ電話機を複数のユーザで共有できるようにする機能がある。つまり異なる内線番号（Domestic Number：ＤＮ）でログインすれば、同じＩＰ電話機を、違うユーザの専用端末として使用することができる。このように一つのＩＰ電話機を複数のユーザでシェアできる機能はユーザモビリティと称して知られている。
【０００４】
一方、ＩＰ電話機の運用を開始する前に、そのＩＰ電話機へのＩＰアドレスの付与を含む多様な設定を行う必要がある。この設定作業は、例えばＩＰ電話機をＩＰネットワークに接続した際に種々の端末設定情報をＩＰ電話機にダウンロードし、内部メモリ（Flash-ROMなど）に記憶させるという手順を要する。端末設定情報を内部メモリに記憶しておくことで、電源が入っていない状態や、システムに未接続の状態からＩＰ電話機を主装置に再接続する際に、内部メモリの端末設定情報を読み出して、もとの端末設定情報で再接続することができる。近年ではこのような設定作業を自動化してユーザの便宜を図ったシステムがある。この種の自動設定機能はオートコンフィグと称されることもある。
【先行技術文献】
【特許文献】
【０００５】
【特許文献１】特開２００８−１２５１３６号公報
【特許文献２】特開２００７−１４２６２１号公報
【特許文献３】特許第３７８１７６４号公報
【発明の概要】
【発明が解決しようとする課題】
【０００６】
ところで、ユーザモビリティ環境下ではＩＰ電話機に記憶されているＤＮと、そのＩＰ電話機にログインしたユーザのＤＮとが異なることが多い。このようなケースでは新たなＤＮを含む端末設定情報を内部メモリに書き込み、ＩＰ電話機に記憶させる必要がある。
【０００７】
内部メモリに書き込まれた情報を再設定し、また、ＩＰ電話機を主装置に接続するためには、オートコンフィグ手順に従ってＩＰ電話機を再起動するという手順が必要になる。あるいは、内部メモリに書き込みした情報を読み出し、ＩＰ電話機を主装置に接続するために、初期化とともにワークエリアに展開して、オートコンフィグ手順に従ってＩＰ電話機を再起動するという手順が必要になる。
【０００８】
ＩＰ電話機が再起動してしまうとユーザはログイン操作をもう一度やり直さなくてはならないので、煩わしさを感じる。つまりユーザモビリティとオートコンフィグとの間には、ユーザの便利さを促すという観点からみれば競合する関係があり、これを解消したいというニーズがある。
【０００９】
目的は、機能間の競合を解消して便宜の向上を図った電話システムとその電話端末、主装置、および設定方法を提供することにある。
【課題を解決するための手段】
【００１０】
実施形態によれば、電話システムは、識別情報の入力を含むユーザのログイン操作を受け付ける電話端末と、この電話端末からのログインを処理する主装置とを具備する。主装置は送信部を備える。送信部は、ログイン操作において入力された識別情報に対応する設定情報をログイン元の電話端末に送信する。電話端末は、書き込まれた情報の再設定のため電話端末の再起動を要するメモリを備える。そして電話システムは、ログイン操作がユーザの移動に伴うログインであれば、主装置から電話端末への設定情報の送信に伴う再起動を中止する。
【図面の簡単な説明】
【００１１】
【図１】実施形態に係わる電話システムの一例を示すシステム図。
【図２】図１に示されるＩＰ電話機の一例を示す機能ブロック図。
【図３】図１に示される主装置５０の一例を示す機能ブロック図。
【図４】既存の電話システムにおけるＩＰ電話機の設定の手順を示すシーケンス図。
【図５】第１の実施形態に係わる電話システムにおける処理手順の一例を示すシーケンス図。
【図６】図５に示されるシーケンスのステップＳ１３に係わる手順の詳細を示すフローチャート。
【図７】端末設定情報通知のフォーマットの一例を示す図。
【図８】図７にされるデータ部の詳細を示す図。
【図９】図６における判定条件をまとめた表を示す図。
【図１０】リモート設定によりＩＰ電話機の設定を変更するケースにおける処理手順の一例を示すフローチャート。
【図１１】図１に示されるＩＰ電話機の他の例を示す機能ブロック図。
【図１２】図１に示される主装置５０の他の例を示す機能ブロック図。
【図１３】第２の実施形態に係わる電話システムにおける処理手順の一例を示すシーケンス図。
【発明を実施するための形態】
【００１２】
図１は、実施形態に係わる電話システムの一例を示すシステム図である。実施形態では、オートコンフィグ機能を備え、ユーザモビリティ環境を実現するシステムを想定する。図１においてＩＰ電話機１１〜１ｎはハブ１０に接続され、第１のLocal Area Network（ＬＡＮ）が形成される。ＩＰ電話機２１〜２ｍはハブ２０に接続され、第２のＬＡＮが形成される。ハブ１０，２０はルータ３０を介して互いに接続される。これにより第１および第２のＬＡＮは相互通信が可能になり、全体として一つの通信ネットワークが形成される。  
Dynamic Host Configuration Protocol（ＤＨＣＰ）サーバＳＶおよび主装置５０が、ハブ１０に接続される。これにより通信ネットワークはＩＰ電話システムとしての機能を備える。主装置５０には管理端末ＴＭが接続される。管理端末ＴＭはシステムの保守や各種設定を行うために設けられるコンピュータ端末である。
【００１３】
図２は、図１に示されるＩＰ電話機１１の一例を示す機能ブロック図である。他のＩＰ電話機１２〜１ｎ、２１〜２ｍも同様である。ＩＰ電話機１１は、表示器４０、インタフェース部４１、制御部４２、キーパッド部４３、および、メモリ４４を備える。表示器４０はキャラクタデータなどの各種の情報を表示するユーザインタフェースである。インタフェース部４１はＬＡＮケーブルなどを介してハブ１０に接続される。キーパッド部４３はテンキーなどを備えるユーザインタフェースである。
【００１４】
制御部４２は例えばCentral Processing Unit（ＣＰＵ）であり、メモリ４４に記憶されたプログラムの命令列に従う演算処理を実行して、実施形態に係わる機能を実現する。制御部４２はその機能として、ログイン処理部４２ａ、受信部４２ｂ、書き込み制御部４２ｃ、判定部４２ｄを備える。また制御部４２はレジスタを備え、このレジスタの記憶領域の一部がワークエリア４２ｅとして割り当てられる。
【００１５】
ログイン処理部４２ａは、識別情報としてのＤＮの入力を含む、ユーザのログイン操作を受け付ける。受信部４２ｂは、主装置５０から送信された端末設定情報を受信する。書き込み制御部４２ｃは受信した端末設定情報をメモリ４４に書き込むために、ワークエリアに一時記憶する。つまり書き込み制御部４２ｃにより、受信された端末設定情報はワークエリア４２ｅに一旦プールされる。実施形態においては、プールされた端末設定情報をメモリ４４に書き込むか否かが判定部４２ｄにより判定される。ワークエリア４２ｅは、ＩＰ電話機の再起動時にメモリ４４に書き込まれた情報を読み出したときに記憶するワークエリアとしても利用される。
【００１６】
判定部４２ｄは、キーパッド部４３などを用いたユーザのマニュアルログイン操作において入力された識別情報（ＤＮ）と、メモリ４４に記憶されているＤＮ４４ａとが異なれば、ログイン操作を、ユーザの移動に伴うログイン（すなわちユーザモビリティによるログイン）であると判定する。
【００１７】
特に書き込み制御部４２ｃは、ログイン操作が判定部４２ｄによりユーザモビリティログインであると判定されると、主装置５０から送信された端末設定情報をメモリに書き込むことを中止する。つまり書き込み制御部４２ｃは、ユーザモビリティログインが実施されたケースでは、ワークエリア４２ｅにプールされた端末設定情報をメモリ４４に書き込まない。このケースではＩＰ電話機１１はワークエリア４２ｅの端末設定情報で運用される。
【００１８】
メモリ４４はＤＮ４４ａおよび端末設定情報４４ｂを記憶する。メモリ４４はFlash-ROMなどの揮発性メモリである。この種の半導体メモリは書き込まれた情報を再設定するために再起動を要する。このようなメモリの再設定処理は、書き込まれた情報を有効にするために実施されるもので、活性化とも称される。つまり再起動してメモリ４４を活性化することで、メモリ４４の書き込まれた情報に基づいて主装置１に接続することが可能になる。
【００１９】
図３は、図１に示される主装置５０の一例を示す機能ブロック図である。主装置５０は、ＬＡＮインタフェース（ＬＡＮ Ｉ／Ｆ）５１、データベース部５２、および、主制御部５３を備える。ＬＡＮインタフェース５１はＬＡＮケーブルなどを介してハブ１０に接続される。
【００２０】
データベース部５２は例えばハードディスクドライブなどの記憶デバイスであり、端末設定情報５２ａを記憶する。この端末設定情報５２ａはＩＰ電話機１１〜１ｎ、２１〜２ｍごとに用意されており、オートコンフィグ手順において、要求元のＩＰ電話機に向け送信される。
【００２１】
主制御部５３は例えばＣＰＵであり、その制御機能として送信部５３ａを備える。送信部５３ａは、ログイン要求元のＩＰ電話機におけるログイン操作で入力されたＤＮに対応する端末設定情報を、ログイン元のＩＰ電話機に送信する。以下に、上記構成における作用を説明するが、まず、オートコンフィグ機能を備える既存の電話システムにおけるＩＰ電話機の設定の手順につき補足する。
【００２２】
図４は、既存の電話システムにおけるＩＰ電話機の設定の手順を示すシーケンス図である。ここではＩＰ電話機１１を主体として説明する。ハブ１０を介してＬＡＮに接続されると、電源オンなどを契機としてＩＰ電話機１１はＤＨＣＰサーバＳＶにアドレス要求を送出する（ステップＳ１）。これを受けてＤＨＣＰサーバＳＶは、ＩＰ電話機１１にアドレス応答を返信する（ステップＳ２）。このアドレス応答は、ＩＰ電話機１１のＩＰアドレス（端末ＩＰアドレス）と、主装置５０のＩＰアドレス（サーバＩＰアドレス）とを含み、ＩＰ電話機１１はこれらの情報を取得する（ステップＳ３）。
【００２３】
次に、ログイン操作が実施される。ログイン処理にはＩＰ電話機により自律的に実行されるものと、ユーザのマニュアル操作によるものとがある。実施形態ではユーザのマニュアル操作によるログイン操作を考える。
【００２４】
ユーザがＩＰ電話機１１でログイン操作を行うと、まずＤＮが入力される（ステップＳ４）。ＤＮは内線番号などの識別情報であり、実施形態では（Station ID）と称する。ＤＮはユーザごとに割り当てられる番号であるので、ユーザを区別するためにも利用される。ＤＮの入力が完了すると、ＩＰ電話機１１は入力されたＤＮを含む接続要求を主装置５０に送る（ステップＳ５）。これを受けて主装置５０は接続応答をＩＰ電話機１１に返送する（ステップＳ６）。
【００２５】
さらに主装置５０は、パスワード入力要求をＩＰ電話機１１に送る（ステップＳ７）。これによりＩＰ電話機１１の表示器４０に、パスワード入力を促すメッセージが表示される。パスワードが入力されると（ステップＳ８）、ＩＰ電話機１１はパスワード入力応答を主装置５０に返送する（ステップＳ９）。パスワードによる認証が成功するとＩＰ電話機１１は主装置５０に登録される。
【００２６】
ここまでの手順が済むと、オートコンフィグ機能が処理を開始する。すなわち主装置５０から端末設定情報を含む端末設定情報通知がＩＰ電話機１１に送られる（ステップＳ１０）。つまり端末設定情報が主装置５０からＩＰ電話機１１にダウンロードされる。  
端末設定情報を受信したＩＰ電話機１１はメモリ４４に端末設定情報を書き込む（ステップＳ１１）。そして、書き込まれた情報が再設定された状態でシステムに接続するために自らを再起動する（ステップＳ１２）。ＩＰ電話機１１が再起動するとユーザはログイン操作をやり直さなくてはならず、煩雑な操作を強いられることになる。実施形態ではこれを解決することの可能な技術を、第１および第２の実施形態にわたり開示する。
【００２７】
［第１の実施形態］
図５は、実施形態に係わる電話システムにおける処理手順の一例を示すシーケンス図である。図４と同様のステップには同じ符号を付して示しここでは異なる手順についてのみ説明する。  
図５のシーケンスは、ＩＰ電話機１１における、ステップＳ１０に続く手順であるステップＳ１３、Ｓ１４を含む。ステップＳ１０で端末設定情報通知を受けたＩＰ電話機１１は、ログイン操作において入力されたＤＮがユーザモビリティＤＮであるか否かを判定する（ステップＳ１３）。
【００２８】
すなわちステップＳ１３においてＩＰ電話機１１は、ログイン操作において入力されたＤＮと、端末設定情報として予め記憶しているＤＮとを比較し、両者が異なればＹｅｓの旨を判定してそのままの運用状態を継続する（ステップＳ１４）。比較した２つのＤＮが同じであればユーザモビリティＤＮではない旨（ステップＳ１３においてＮｏ）が判定され、ＩＰ電話機１１はメモリ４４に端末設定情報を書き込み（ステップＳ１１）、自らを再起動する（ステップＳ１２）。再起動時に、メモリ４４に書き込まれた情報を読み出し、これをワークエリア４２ｅに記憶して再接続に利用する。
【００２９】
図６は、図５に示されるシーケンスのステップＳ１３に係わる手順の詳細を示すフローチャートである。図６の実線で囲まれた部分が図６のステップＳ１３に対応する。端末設定情報通知を受信すると（ステップＳ２１）、ＩＰ電話機１１は受信した端末設定情報をワークエリア４２ｅに格納する（ステップＳ２２）。
【００３０】
次にＩＰ電話機１１は、端末設定情報の通知がリモート設定によるものか否かを判定する（ステップＳ２３）。この判定は端末設定情報通知の既定のフィールドを参照することで可能である。リモート設定とは、管理端末ＴＭからのコマンド投入により強制的に実施される設定であり、実施形態では、ＩＰ電話機と主装置との間での設定よりも高い優先度が与えられる。  
図７は端末設定情報通知のフォーマットの一例を示す図である。端末設定情報通知にはリモート設定の有無を示すフィールドが定義されており、ＩＰ電話機１１はこのフィールドのビットを参照してリモート設定の有り／無しを判定する。  
すなわちリモート設定の有無を示すフィールドは、書き込み強制フラグとしての機能を有する。このフィールドにフラグが立つことでリモート設定の有りの旨が示される。このフィールドの後ろに、ペイロードの格納領域であるデータ部が設定される。データ部は（Type）、（サイズ）、（Value）のサブフィールドを備え、その詳細は図８に示される。図８におけるStation ID がＤＮを示す。
【００３１】
図６に戻り、リモート設定のもとでは（ステップＳ２３でＹＥＳ）、ＩＰ電話機１１はワークエリア４２ｅにテンポラリに保存した端末設定情報を無条件にメモリ４４に書き込み（ステップＳ１１）、ＩＰ電話機１１自体を再起動する（ステップＳ１２）。
【００３２】
ステップＳ２３でリモート設定の条件下でなければ（ＮＯ）、ＩＰ電話機１１はログイン操作において入力されたＤＮと、端末設定情報として予め記憶しているＤＮとが一致するか否かを判定する（ステップＳ２４）。二つのＤＮが一致しなければ（ＮＯ）、ＩＰ電話機１１はログイン手順で与えられたＤＮがマニュアルログインによるＤＮ（Station ID)であると判定する。すなわちユーザモビリティ環境下でのユーザのマニュアル操作によってＤＮが与えられたと判断して、ＩＰ電話機１１は再起動を経ずに通常の運用状態に入る（ステップＳ１４）。
【００３３】
ステップＳ２４で２つのＤＮが一致すれば（ＹＥＳ）、ＩＰ電話機１１は受信した端末設定情報に変更があるか否かを判定する（ステップＳ２５）。これは既に記憶している端末設定情報と受信した端末設定情報とを比較することで判断される。変更が無ければ（ＮＯ）、ＩＰ電話機１１は再起動を経ずに通常の運用状態に入る（ステップＳ１４）。このケースは主装置５０に接続中のＩＰ電話機によるリフレッシュ動作、つまり自律的なログイン処理（オートログイン）に当てはまるケースである。  
なお上記手順において、リモート設定のもとでは、ステップＳ２４における判断よりも優先して端末設定情報のメモリ４４への書き込みが実施される。
【００３４】
ステップＳ２５で変更があれば（ＹＥＳ）、ＩＰ電話機１１はワークエリアにテンポラリに保存した端末設定情報をメモリ４４に書き込み（ステップＳ１１）、ＩＰ電話機１１自体を再設定された情報でシステムに接続するために自らを再起動する（ステップＳ１２）。
【００３５】
図９は、図６における判定条件をまとめた表である。条件１はリモート設定有りのケースであり、端末設定情報はメモリ４４に無条件に書き込まれる。リモート設定無しの条件化では（条件２、３）記憶済みＤＮとログインＤＮとの比較がなされ、その結果に応じて端末設定情報のメモリ４４への書き込みの有無が判定される。実施形態では記憶済みＤＮとログインＤＮとが一致するケースにおいてのみ、端末設定情報がメモリ４４に書き込まれる。
【００３６】
図１０は、リモート設定によりＩＰ電話機の設定を変更するケースにおける処理手順の一例を示すフローチャートである。保守端末ＴＭからＩＰ電話機１１の設定を変更するためのコマンド（端末設定変更）が投入されると（ステップＳ３１）、主装置５０がこのコマンドを受信する。主装置５０はリモート設定有りのフラグを立てた端末設定情報通知をＩＰ電話機１１に送る（ステップＳ３２）。
【００３７】
ＩＰ電話機１１はステップＳ１３において、端末設定情報通知に含まれるＤＮがユーザモビリティＤＮであるか否かを判定する。端末設定情報通知にはリモート設定有りの旨が示されているので、処理手順は無条件にステップＳ１１に進む。よってＩＰ電話機１１は端末設定情報をメモリ４４に書き込み（ステップＳ１１）、再設定された情報でシステムに接続するため再起動を実行する（ステップＳ１２）。
【００３８】
以上述べたように実施形態では、ログイン元のＩＰ電話機１１が主装置５０から端末設定情報通知を受信した際に、ログイン操作に伴うＤＮと、メモリ４４に記憶されているＤＮとが異なる場合に、ユーザモビリティＤＮと判断する。このケースにおいてはＩＰ電話機１１は、主装置５０から受信した端末設定情報をワークエリア４２ｅにプールするに留め、メモリ４４への書き込みは行わない。これによりＩＰ電話機１１が再起動することを防止でき、従って、再度のログイン操作およびＤＮ、パスワードの入力を促すことが防止され、ユーザの煩わしさを大幅に解消することが可能になる。
【００３９】
例えば図１に示すように、ＩＰ電話機１１にＤＮ＝１０００が記憶されている状態でユーザモビリティとしてＤＮ＝２０００でログインすると、図６のステップＳ２４でＮＯの判定がなされるので、端末設定情報はメモリ４４に書き込まれることなく、ワークエリア４２ｅにプールされた端末設定情報を用いて通常の運用が開始される。
【００４０】
これらのことから、機能間の競合を解消して便宜の向上を図った電話システムとその電話端末、主装置、および設定方法を提供することが可能となる。
【００４１】
［第２の実施形態］
図１１は、図１に示されるＩＰ電話機の他の例を示す機能ブロック図である。図１１において図２と共通する部分には同じ符号を付して示し、ここでは異なる部分についてのみ説明する。第２の実施形態に係わるＩＰ電話機（ＩＰ電話機１１）は、書き込み制御部４２ｃ、判定部４２ｄに代えて、通知部４２ｆを備える。通知部４２ｆは、ログイン操作に伴って、このログイン操作において入力されたＤＮ（識別情報）と、メモリ４４に記憶されているＤＮ４４ａとを主装置５０に通知する。
【００４２】
図１２は、図１に示される主装置５０の他の例を示す機能ブロック図である。図１２において図３と共通する部分には同じ符号を付して示し、ここでは異なる部分についてのみ説明する。第２の実施形態に係わる主装置５０は、送信部５３ａに加えて判定部５３ｂを備える。
【００４３】
判定部５３ｂは、ログインに伴ってＩＰ電話機から通知された、そのログイン操作において入力されたＤＮとメモリ４４に記憶されているＤＮ４４ａとが異なれば、このログイン操作がユーザモビリティに伴うログインであると判定する。  
第２の実施形態では、送信部５３ａは、判定部５３ｂにより、対象のログイン操作がユーザモビリティに伴うログインと判定された場合に、端末設定情報をログイン元のＩＰ電話機に送信することを中止する。つまり送信しない。次に、第２の実施形態における作用を説明する。
【００４４】
図１３は、第２の実施形態に係わる電話システムにおける処理手順の一例を示すシーケンス図である。図１３において図５と共通する部分には同じ符号を付して示し、ここでは異なる部分についてのみ説明する。
【００４５】
図１３の手順においてＩＰ電話機１１は、パスワード入力応答を主装置５０に返送したのち、メモリ４４に記憶されるＤＮ４４ａを取得する（ステップＳ４１）。次にＩＰ電話機１１は端末設定情報通知を主装置５０に送り、その際、ステップＳ４で入力されたＤＮとステップＳ４１で取得したＤＮとを主装置５０に通知する（ステップＳ４２）。
【００４６】
２つのＤＮを通知された主装置５０は、図５のステップＳ１３に相当する処理を行う。つまり主装置５０は、ＩＰ電話機１１でのログイン操作において入力されたＤＮがユーザモビリティＤＮであるか否かを判定する（ステップＳ１３）。  
すなわちステップＳ４３において主装置５０は、ＩＰ電話機１１から通知された、ログイン操作において入力されたＤＮと、ＩＰ電話機１１に端末設定情報として予め記憶されていたＤＮとを比較し、両者が異なればＹＥＳの旨を判定する。ＹＥＳの判定がなされれば、処理手順はここで終了する。
【００４７】
ステップＳ４３で比較した２つのＤＮが同じであれば、主装置５０はユーザモビリティＤＮではない旨（ステップＳ４３においてＮＯ）を判定する。ＮＯの判定がなされれば、主装置５０は端末設定情報を要求元のＩＰ電話機１１に通知する（ステップＳ１０）。これを受けたＩＰ電話機１１はメモリ４４に端末設定情報を書き込み（ステップＳ１１）、自らを再起動する（ステップＳ１２）。
【００４８】
第１の実施形態では、ログイン操作において入力されたＤＮがユーザモビリティＤＮであるか否かを、ログイン元のＩＰ電話機において判定した。これに代えて第２の実施形態では、同じ判断をログイン先の主装置５０において実行するようにしている。そして、ログイン操作がユーザモビリティに基づくものであると判定した場合には、主装置５０からＩＰ電話機に端末設定情報通知を通知（ダウンロード）しない。これにより必然的にＩＰ電話機のメモリ４４への書き込みは発生しないことになり、第１の実施形態と同様に、再ログインの手間を省くことが可能になる。  
なお、本発明は上記実施形態そのままに限定されるものではない。例えば図１３においてＩＰ電話機１１からＤＮ４４ａを主装置５０に通知するタイミングはステップＳ４２の時点に限らず、ステップＳ６の後にするなど、如何なるタイミングでも良い。
【００４９】
また本発明は、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５０】
１１〜１ｎ、２１〜２ｍ…ＩＰ電話機、１０，２０…ハブ、３０…ルータ、ＳＶ…ＤＨＣＰサーバ、５０…主装置、ＴＭ…管理端末、４０…表示器、４１…インタフェース部、４２…制御部、４２ａ…ログイン処理部、４２ｂ…受信部、４２ｃ…書き込み制御部、４２ｄ…判定部、４２ｅ…ワークエリア、４２ｆ…通知部、４３…キーパッド部、４４…メモリ、４４ａ…ＤＮ、４４ｂ…端末設定情報、５１…ＬＡＮインタフェース、５２…データベース部、５２ａ…端末設定情報、５３…主制御部、５３ａ…送信部、５３ｂ…判定部
【図１】
2013098847.tif 000003
【図２】
2013098847.tif 000004
【図３】
2013098847.tif 000005
【図４】
2013098847.tif 000006
【図５】
2013098847.tif 000007
【図６】
2013098847.tif 000008
【図７】
2013098847.tif 000009
【図８】
2013098847.tif 000010
【図９】
2013098847.tif 000011
【図１０】
2013098847.tif 000012
【図１１】
2013098847.tif 000013
【図１２】
2013098847.tif 000014
【図１３】
2013098847.tif 000015